(57)【要約】【課題】  照明する表示記号の数だけＬＥＤを配置したものは、構成の簡素化及びコストの両面において問題がある。また、照明光のみによって選択したモードを表示するものは、明るい場所などでは、どのモードを選択したのか見難いことがある。さらに、発光部材から表示記号まで光を導くための導光部材の孔をＣ字形状とすると、回転操作部材の強度に問題がある。【解決手段】  回転可能に支持された回転操作部材と該回転操作部材の上面に配置された透光部材で形成された複数の表示記号を有する表示板と回転操作部材を挟んで表示板と対向する位置に固定された単一の発光部材とを有した照明付き表示ダイヤルにおいて回転操作部材は、発光部材からの照明光を通過させる孔部を有し、該孔部は撮影を許可しない２つの領域によって分断されていることが特徴である。【選択図】  図１
2006003806.tif 000002
【特許請求の範囲】
【請求項１】
回転可能に支持された回転操作部材と、該回転操作部材の上面に配置された透光部材で形成された複数の表示記号を有する表示板と、回転操作部材を挟んで表示板と対向する位置に固定された単一の発光部材とを有した照明付きダイヤル表示装置において、
回転操作部材は、発光部材からの照明光を通過させる孔部を有し、該孔部は
撮影を許可しない２つの領域部分によって分断されている事を特徴とする照明付きダイヤル表示装置。
【請求項２】
撮影を許可しない領域部分の１つは、電源オフの位置である事を特徴とする請求項１に記載の照明付きダイヤル表示装置。
【請求項３】
前記発光部材は、発光ダイオードである事を特徴とする請求項１に記載の照明付きダイヤル表示装置。
【発明の詳細な説明】
【技術分野】
【０００１】
本発明は、カメラ等に用いられる照明付きダイヤル表示装置に関する。
【背景技術】
【０００２】
従来、選択した表示記号を照明表示する照明付きダイヤル表示装置として、固定盤に固定された表示板に複数の透過性の表示記号を描き、各表示記号の下面に、発光部材として発光ダイオード（以下ＬＥＤ）をそれぞれ固定し、固定盤に対して回動操作可能に支持された回転操作部材の指標が指し示す表示板の表示記号を、ＬＥＤによる下面からの照明で発光表示するものがある。（特許文献１参照）
また、固定盤に対し回動操作可能に支持された回転操作部材と、回転操作部材の回転中心を中心とする同一円周上に位置させて透光性材料により形成した複数の表示記号と回転操作部材の回転中心に位置させて固定して設けた発光部材と回転操作部材の回動位置にかかわらず入射端部がこの発光部材に臨み、回転操作部材の回動位置に応じて射出射端部が複数の表示記号のいずれかに択一して臨むように回転操作部材に固定された導光部材によっていずれか一つの表示記号を照明するものが知られている。（特許文献２参照）
【特許文献１】特開２００１−００５０７５号公報
【特許文献２】特開２００２−０７５１０６号公報
【発明の開示】
【発明が解決しようとする課題】
【０００３】
しかしながら、特開２００１−００５０７５号公報に開示されているように、固定盤に固定された各表示記号に一つずつＬＥＤを固定する照明付き表示ダイヤル装置では、表示記号の数だけＬＥＤが必要となり、構成の簡素化及びコストの両面において問題がある。
【０００４】
また、特開２００２−０７５１０６号公報に開示されているものは、表示記号が固定で外周の回転操作部材が回転すると共に、照明光のみによって選択したモードを確認するようになっており、照明する位置が選択するモードによって変化するので、明るい場所などでは、どのモードを選択したのか見難いことがある。さらに、回転操作部材にＣ字形状の孔を設け、さらに発光部材から表示記号まで光を導くための導光部材の孔まで設けているので、回転操作部材の強度に問題がある。
【０００５】
また、回転操作部材の回転中心に照明手段を配置しているため、ライトガイドのような導光部材が必須となってしまう。
【０００６】
本発明の目的は、簡単な構成とすることでコストダウンにつながり、十分な強度を確保した照明付きダイヤル表示装置を得ることにある。
【課題を解決するための手段】
【０００７】
回転可能に支持された回転操作部材と該回転操作部材の上面に配置された透光部材で形成された複数の表示記号を有する表示板と回転操作部材を挟んで表示板と対向する位置に固定された単一の発光部材とを有した照明付き表示ダイヤルにおいて、前記回転操作部材は、発光部材からの照明光を通過させる孔部を有し、該孔部は撮影を許可しない２つの領域部分によって分断されていることを特徴とする。
【０００８】
さらに、撮影を許可しない領域部分の１つはカメラの電源オフのモードであることを特徴とする。
【発明の効果】
【０００９】
簡単な構成とすることでコストダウンにつながり、また十分な強度を確保し、指標と照明の位置が一致しているため、どのような環境下においても視認性のよい照明付きダイヤル表示装置を得ることができる。
【発明を実施するための最良の形態】
【００１０】
（実施例１）
図１から図４に本発明の実施例を示す。図１は、照明付きダイヤル表示装置の上方から見た分解斜視図、図２は照明付きダイヤル表示装置の下方から見た分解斜視図、図３は、図１のＡ−Ａ断面図、図４は図１のＢ−Ｂ断面図である。
【００１１】
図１から図４において、カメラの外装の一部を構成するカバー１には、モードダイヤル２の回転嵌合軸２ｅと回転可能に嵌合する軸受部１ａと、後述するクリック板４の可動端４ｂと当接して、クリック力を発生させると共に、モードダイヤル２の各モード選択時の位置決めを行うためのクリック用の突起群１ｂがある。さらに、モードダイヤル２の回転ストッパ２ｉの一方の端部と当接することで、モードダイヤル２の回動範囲を規制するためのストッパ１ｃと、基板８上に設けられたＬＥＤ９からの照明光を通過させるとともに、後述する導光部材１０を挿入するための導光孔１ｄと、撮影者が選択するモードを設定するための指標１ｅがある。
【００１２】
また、カバー１の裏面には、基板８の位置決め用のボス１ｆと、不図示のビスにより固定するための取り付け部１ｇが設けられている。
【００１３】
モードダイヤル２は、その上面に表示板３を嵌め込むための凹部２ａを有し、凹部２ａには、表示板３との位置決めを行う突起２ｂ、ＬＥＤ９からの照明光を通過させる円弧状の第１の孔領域２ｃと第２の孔領域２ｄとがある。ここで、第１の孔領域２ｃと第２の孔領域２ｄを分断している部分のうち、第１の（広い方の）連結部２ｅは撮影モードの設定が無く、選択不可能領域であり、第２の（狭い方の）連結部２ｆはメインスイッチとしてのオフポジションであり、撮影不可能領域である。モードダイヤル２の裏面には、モードダイヤル２の回転中心にある回転嵌合軸２ｇ、クリックバネ４の取り付け部２ｈ、回転ストッパ２ｉ、クリックバネ４の振れ止め用に一対のボス２ｊがある。表示板３は透光性材料で形成され、表示記号群３ａは表示板３の裏面側での白抜き印刷によって形成されているため照明光を透過する。表示記号群３ａは、メインスイッチでありオフ状態を表示するＯＦＦ３ａ−１を挟んで、プログラムＡＥを示す「Ｐ」や、シャッタスピード優先ＡＥを示す「Ｔｖ」、絞り優先ＡＥを示す「Ａｖ」、マニュアル露出を示す「Ｍ」などの上級者向けのモード群３ａ−２と、ポートレート撮影モードを示す「人物」、風景撮影モードを示す「山」の絵文字などを含む初心者向けのピクチャモード群３ａ−３とで構成されている。表示板３の切り欠き部３ｂは、モードダイヤル２の突起２ｂと噛み合い表示板３の位置決めを行う。クイックバネ４は固定端４ａを介してモードダイヤル２の下面部の取り付け部２ｆにビス５で固定され、先端部４ｂが本体１のクリック用の突起群１ｂと当接するようにしてクリック力を発生させる板バネである。接片６は、モードダイヤル２の回転嵌合軸２ｇの端面にビス７で固定され、モードダイヤル２と一体的に回転する接片である。基板８は、モードダイヤル２の位置を検出するためのパターン部８ａがあり、前記接片６と摺接するようになっている。ＬＥＤ９は、基板８に固定されその照明光によって表示板３の表示記号３ａを表示板３の裏面より照明するようになっている。
【００１４】
１０は、導光性の材料からなる導光部材（ライトガイド）であり、光を用いて情報伝達する際に光の光路として用いられる。一般的には、光ファイバやアクリル材等を使用する事が出来る。
【００１５】
以上の構成の組み立て方法としては、モードダイヤル２は上面に表示板３を不図示の接着部材により固定され、裏面にはクイックバネ４の固定端４ａをビス５で固定すると共に、回転嵌合軸２ｇをカバー１の軸受部１ａに挿入後、回転嵌合軸２ｇの先端に接片６をビス７で固定して、カバー１を挟む形で回転可能に支持される。
【００１６】
モードダイヤル２を回転操作すると、上面の表示板３と回転嵌合軸２ｇの先端の接片６が同時に回転し、接片６と基板８上のパターン８ａが摺接しながら乗り移って行くことで、どのモードに設定（表示記号群３ａのうち指標１ｅと一致しているもの）されているかを検出し、設定された撮影モードに従ってカメラを制御すると共に、ＬＥＤ９を点灯する。このため背面からの照明で表示記号群３ａのうちＯＦＦ３ａ−１を除く、いずれか１つを選択的に照明表示することが可能となる。よって、暗い場所ではＬＥＤ９による照明光で表示記号３ａを背面から照明するので、どのモードに設定されているかの確認が可能であり、また明るい場所でＬＥＤ９による照明光の効果が弱い場面では、指標と一致しているモードを確認すれば良い。
【００１７】
ＬＥＤ９が発した照明光は、カバー１の導光部材１０を挿入するための導光孔１ｄを通して導光部材１０に入射する。導光部材１０に入射した照明光は、ＬＥＤ９と反対側の射出面より射出される。
【００１８】
射出された照明光は、モードダイヤル２の第１の孔領域２ｃあるいは第２の穴領域２ｄを通過して表示板３の表示記号群３ａのうちの選択された撮影モードのみを背面から照明する。表示板３の表示記号群３ａ、は透光部材に白抜き文字で形成されているので、選択された表示記号を照明表示することが可能となる。
【００１９】
モードダイヤル２は、第１の孔領域２ｃで選択可能な撮影モードを超えて回転させるとモードダイヤル２の回転ストッパ２ｉとカバー１のストッパ１ｃとが当接し、第１の連結部２ｅの撮影不可能領域が選択できないようになっている。逆に、第２の孔領域２ｄで選択可能な撮影モードを超えて回転させるとモードダイヤル２の回転ストッパ２ｉとカバー１のストッパ１ｃとが当接し、第１の連結部２ｅの撮影不可能領域が選択できないようになっている。
【００２０】
また、モードダイヤル２を表示記号群３ａのうちのメインスイッチでありオフ状態を表示するＯＦＦ３ａ−１に選択した場合、ＬＥＤ９の照明を行わない。すなわちＯＦＦ３ａ−１の位置以外は照明され撮影可能であるが、照明されないときにはＯＦＦであることが認識できる。さらに、ＯＦＦ３ａ−１の部分に第２の連結部２ｆがあるので、照明光を通過させる孔の領域を第１の孔領域２ｃと第２の孔領域２ｄとに、第１の連結部２ｅと第２の連結部２ｆで２分割する事により、最小限にする事が可能であるので、モードダイヤル２の強度を確保することが出来る。
【００２１】
クリックバネ４は、モードダイヤル２の回転嵌合軸２ｇの下面部に固定端４ａを固定することで、モードダイヤル２と一体的に回転を行い、クリックバネ４の先端部４ｂが突起群１ｂの突起を乗り越える毎にクリック力を発生させ、突起と突起の間の谷部にクリックバネ４の先端部４ｂが落ち込むことでモードダイヤル２をクリックストップさせることで、クリックストップ機構を構成している。
【００２２】
上記実施例では、導光部材１０を用いてＬＥＤ９の照明光を表示板３の背面から投光しているが、カバー１の導光孔１ｄに光束を絞るようなガイド兼絞り形状を追加することで、導光部材１０を廃止してもかまわない。
【００２３】
上記実施例では、照明光としてＬＥＤを適用して説明しているが、これに限るものではなく、通常のランプでもかまわない。
【００２４】
上記実施例では、撮影不可能領域の一つに、オフ位置として説明しているが、これは、フイルム感度変更位置やユーザーが自分の好みに設定を変更可能なカスタム設定位置など、撮影が許可されないモードであればかまわない。
【００２５】
また、本発明の照明付きダイヤル表示装置をカメラに適応した場合について説明したが、本発明はこの実施例に限定されず、ダイヤル機構を用いた他の電子機器にも広く適用可能である。
【図面の簡単な説明】
【００２６】
【図１】照明付きダイヤル表示装置の上方から見た分解斜視図。
【図２】照明付きダイヤル表示装置の下方から見た分解斜視図。
【図３】図１のＡ−Ａ断面図。
【図４】図１のＢ−Ｂ断面図。
【符号の説明】
【００２７】
１  カバー
２  モードダイヤル
３  表示板
４  クリックバネ
６  接片
８  基板
９  発光ダイオード（ＬＥＤ）
１０  導光部材
【図１】
2006003806.tif 000003
【図２】
2006003806.tif 000004
【図３】
2006003806.tif 000005
【図４】
2006003806.tif 000006